(57)【要約】  揺動式ベビーベッド１は、床板２と、頭部枠３と、足部枠４と、側部枠５と、寝床部材６と、第１連結部材７と、第２連結部材８と、第１支持枠９と、第２支持枠１０とを備える。第１連結部材７は、寝床部材６の頭側端部と第１支持枠９とを面状に連結し、寝床部材６の一方側端部を浮かせた状態で保持する。第２連結部材８は、寝床部材６の足側端部と第２支持枠１０とを面状に連結し、寝床部材６の他方側端部を浮かせた状態で保持する。寝床部材６は、水平状態を維持したままで平行に揺動運動を行う。【特許請求の範囲】
【請求項１】
一方側端部と他方側端部とを有する矩形の寝床部材と、
前記寝床部材の一方側端部の上方に位置し、この一方側端部に対してほぼ平行に延びる第１支持枠と、
前記寝床部材の他方側端部の上方に位置し、この他方側端部に対してほぼ平行に延びる第２支持枠と、
前記寝床部材の一方側端部と前記第１支持枠とを面状に連結し、寝床部材の一方側端部を浮かせた状態で保持する第１連結部材と、
前記寝床部材の他方側端部と前記第２支持枠とを面状に連結し、寝床部材の他方側端部を浮かせた状態で保持する第２連結部材とを備える、揺動式ベッド。
【請求項２】
前記第１連結部材および前記第２連結部材は、布である、請求項１に記載の揺動式ベッド。
【請求項３】
静止状態において、前記第１連結部材および第２連結部材は、鉛直線方向に延在する、請求項１に記載の揺動式ベッド。
【請求項４】
前記第１連結部材および前記第２連結部材の少なくともいずれか一方の吊下げ長さを調節するための長さ調節手段を備える、請求項１に記載の揺動式ベッド。
【請求項５】
前記第１支持枠を下から支える第１支持壁と、
前記第２支持枠を下から支える第２支持壁と、
前記寝床部材の下方に位置し、前記第１支持壁と前記第２支持壁とを接続するベース壁とを備え、
前記長さ調節手段による第１および第２連結部材の吊下げ長さの調節によって、前記寝床部材は、前記ベース壁から上方に離れた揺動可能状態、その一方側端部および下方側端部のいずれか一方が前記ベース壁に当接した傾斜状態、およびその一方側端部および下方側端部の両者が前記ベース壁に当接した固定状態の３状態を選択的に取ることが可能となる、請求項４に記載の揺動式ベッド。
【請求項６】
前記長さ調節手段は、前記第１支持枠および前記第２支持枠の少なくともいずれか一方の上面上に位置変更可能に設けられた調節プレートを含み、
前記第１連結部材および前記第２連結部材の少なくともいずれか一方は、前記調節プレートに連結されている、請求項４に記載の揺動式ベッド。
【請求項７】
寝床部材と、
前記寝床部材の周囲を取り囲む囲い枠と、
前記寝床部材を水平状態と傾斜状態とに選択的に切換えるための角度調節手段とを備える、ベビーベッド。
【請求項８】
前記囲い枠は、前記寝床部材の頭側に位置する頭部枠と、前記寝床部材の足側に位置する足部枠とを含み、
前記水平状態では、前記寝床部材の頭側端部と足側端部とが同じ高さに位置し、
前記傾斜状態では、前記寝床部材の頭側端部が前記足側端部よりも高い所に位置する、請求項７に記載のベビーベッド。
【請求項９】
前記頭部枠は、その上端部に幅方向に延びる第１支持枠を含み、
前記足部枠は、その上端部に幅方向に延びる第２支持枠を含み、
前記角度調節手段は、前記寝床部材の頭側端部と前記第１支持枠とを連結し、寝床部材の頭側端部を上下方向に位置変更可能に吊下げて支持する第１連結部材を含む、請求項８に記載のベビーベッド。
【請求項１０】
前記寝床部材の下方に位置し、前記頭部枠と前記足部枠とを接続するベース壁を備え、
前記第１連結部材の吊下げ長さの調節によって、前記寝床部材は、その頭側端部および足側端部の両者が前記ベース壁に当接した水平状態と、その頭側端部が前記ベース壁から上方に離れ、その足側端部が前記ベース壁に当接した傾斜状態とに切換え可能である、請求項９に記載のベビーベッド。
【請求項１１】
前記寝床部材は、その頭側端部が前記頭部枠に上下方向に位置変更可能に支持されている、請求項８に記載のベビーベッド。
【請求項１２】
一方側端部と他方側端部とを有する寝床部材と、
前記寝床部材の一方側端部の上方に位置する第１支持枠と、
前記寝床部材の他方側端部の上方に位置する第２支持枠と、
前記寝床部材の一方側端部と前記第１支持枠とを連結し、寝床部材の一方側端部を浮かせた状態で保持する第１連結部材と、
前記寝床部材の他方側端部と前記第２支持枠とを連結し、寝床部材の他方側端部を浮かせた状態で保持する第２連結部材と、
前記第１連結部材の一方側に位置し、第１連結部材の一方側への動きを弾性力によって吸収する第１弾性部材と、
前記第２連結部材の他方側に位置し、第２連結部材の他方側への動きを弾性力によって吸収する第２弾性部材とを備える、揺動式ベッド。
【請求項１３】
前記第１連結部材の一方側の位置で第１連結部材に対面するように設けられた第１支持壁と、
前記第２連結部材の他方側の位置で第２連結部材に対面するように設けられた第２支持壁とを備え、
前記第１弾性部材は、前記第１支持壁と前記第１連結部材との間に配置され、
前記第２弾性部材は、前記第２支持壁と前記第２連結部材との間に配置されている、請求項１２に記載の揺動式ベッド。
【請求項１４】
前記第１弾性部材は前記第１連結部材に保持され、
前記第２弾性部材は前記第２連結部材に保持されている、請求項１３に記載の揺動式ベッド。
【請求項１５】
前記第１連結部材は、前記寝床部材の一方側端部と前記第１支持枠とを面状に連結し、
前記第２連結部材は、前記寝床部材の他方側端部と前記第２支持枠とを面状に連結するものである、請求項１２に記載の揺動式ベッド。
【請求項１６】
前記第１連結部材および前記第２連結部材は、布である、請求項１５に記載の揺動式ベッド。
【請求項１７】
所定の高さに位置する矩形のベース壁と、
前記ベース壁の頭側端部および足側端部に位置し上下方向に延在する頭部枠および足部枠を含み、前記ベース壁の周囲を取り囲む囲い枠と、
前記頭部枠の上方端部に取り付けられて足側に向かって張り出している第１支持枠と、
前記足部枠の上方端部に取り付けられて頭側に向かって張り出している第２支持枠と、
前記頭部枠の内側に沿う位置で、前記第１支持枠に支持されて下方に延びる第１連結部材と、
前記足部枠の内側に沿う位置で、前記第２支持枠に支持されて下方に延びる第２連結部材と、
前記ベース壁の上方に浮いた位置で、その頭側端部が前記第１連結部材に保持され、その足側端部が前記第２連結部材に保持されている寝床部材と、
前記頭部枠と前記第１連結部材との間に配置され、前記第１連結部材の頭側への振れの動きを弾性力によって吸収する第１弾性部材と、
前記足部枠と前記第２連結部材との間に配置され、前記第２連結部材の足側への振れの動きを弾性力によって吸収する第２弾性部材とを備える、ベビーベッド。
【請求項１８】
前記ベース壁上に配置されるマットレスを備え、
前記マットレスは、前記寝床部材上に配置されるのに適した大きさの主マットレス部と、前記第１弾性部材として使用され得る頭側マットレス部と、前記第２弾性部材として使用され得る足側マットレス部とに分割されている、請求項１７に記載のベビーベッド。
【発明の詳細な説明】
【技術分野】
【０００１】
この発明は、ベッドに関するものである。
【背景技術】
【０００２】
生後間もない乳児は、通常、矩形の床板と、この床板の周囲を取り囲む囲い枠からなるベビーベッド上に寝かされる。この種のベビーベッドは、例えば、実開昭６３−２０２３５３号公報および実開平２−２８６５３号公報に開示されている。【０００３】
実開昭６３−２０２３５３号公報に開示されたベビーベッドでは、乳児を安眠させるために、ベビーベッドの頭部枠上部および足部枠上部から紐を介して布などからなる寝床部材を吊下げている。寝床部材は、床板の上部で揺動可能である。【０００４】
実開平２−２８６５３号公報に開示されたベビーベッドにおいても、ベビーベッドの頭部枠上部および足部枠上部から４本のコイルばねを介して寝床部材を揺動可能に吊下げている。【０００５】
実開昭６３−２０２３５３号公報や実開平２−２８６５３号公報に開示されたような揺動式ベッドの場合、寝床部材が、頭部枠および足部枠から下方に延ばされた紐やコイルばねによって支持されている。紐やコイルばねで寝床部材を支持する構造では、寝床部材の揺動の方向が定まらず、安定した揺れの動きを発揮できない。【０００６】
通常、ベビーベッドの寝床部材は、乳児に安らかな睡眠を保証するために水平状態に維持されている。授乳直後の乳児を水平状態になっている寝床部材の上に寝かせると、なかなかげっぷが出ない。【０００７】
実開昭６３−２０２３５３号公報や実開平２−２８６５３号公報に開示されたような揺動式ベッドの場合、心地良い揺動運動を実現することが望まれる。
【発明の開示】
【０００８】
本発明の目的は、寝床部材の揺動運動を安定させることのできる揺動式ベッドを提供することである。
【０００９】
本発明の他の目的は、乳児の日々時々の状態に合わせて最適となる寝床部材の形態を実現できるベビーベッドを提供することである。
【００１０】
本発明のさらに他の目的は、寝床部材の心地良い揺動運動を実現することのできる揺動式ベッドおよびベビーベッドを提供することである。
【００１１】
この発明に従った揺動式ベッドは、一方側端部と他方側端部とを有する矩形の寝床部材と、寝床部材の一方側端部の上方に位置し、この一方側端部に対してほぼ平行に延びる第１支持枠と、寝床部材の他方側端部の上方に位置し、この他方側端部に対してほぼ平行に延びる第２支持枠と、寝床部材の一方側端部と第１支持枠とを面状に連結し、寝床部材の一方側端部を浮かせた状態で保持する第１連結部材と、寝床部材の他方側端部と第２支持枠とを面状に連結し、寝床部材の他方側端部を浮かせた状態で保持する第２連結部材とを備える。
【００１２】
上記構成の揺動式ベッドによれば、第１連結部材および第２連結部材が、寝床部材の一方側端部および他方側端部と、第１支持枠および第２支持枠とを面状に連結するものであるので、寝床部材の揺動の方向が定まり、安定した揺動運動を行わせることができる。
【００１３】
好ましくは、第１連結部材および第２連結部材は、布である。さらに、好ましくは、静止状態において、第１連結部材および第２連結部材は、鉛直線方向に延在する。このような構成であれば、寝床部材は、水平状態を維持したまま平行に揺動運動を行う。
【００１４】
一つの実施形態では、揺動式ベッドは、第１連結部材および第２連結部材の少なくともいずれか一方の吊下げ長さを調節するための長さ調節手段を備える。この場合、好ましくは、揺動式ベッドは、第１支持枠を下から支える第１支持壁と、第２支持枠を下から支える第２支持壁と、寝床部材の下方に位置し、第１支持壁と第２支持壁とを接続するベース壁とを備える。長さ調節手段による第１および第２連結部材の吊下げ長さの調節によって、寝床部材は、ベース壁から上方に離れた揺動可能状態、その一方側端部および下方側端部のいずれか一方がベース壁に当接した傾斜状態、およびその一方側端部および下方側端部の両者が前記ベース壁に当接した固定状態の３状態を選択的に取ることが可能となる。
【００１５】
上記の実施形態では、乳児を静かに寝かせるときには寝床部材を固定状態にし、乳児をあやすときには寝床部材を揺動可能状態にする。また、授乳後にげっぷをさせようとするときには、頭を高くする傾斜状態にする。
【００１６】
長さ調節手段は、例えば、第１支持枠および第２支持枠の少なくともいずれか一方の上面上に位置変更可能に設けられた調節プレートを含む。第１連結部材および第２連結部材の少なくともいずれか一方は、調節プレートに連結されている。この実施形態によれば、調節プレートの位置を変更することにより、第１連結部材または第２連結部材の長さを変えることができる。
【００１７】
他の局面において、本発明に従ったベビーベッドは、寝床部材と、この寝床部材の周囲を取り囲む囲い枠と、寝床部材を水平状態と傾斜状態とに選択的に切換えるための角度調節手段とを備える。
【００１８】
上記構成の本発明によれば、乳児を安らかに寝かせようとするときには、寝床部材を水平状態にし、授乳直後の乳児に対してげっぷを出させやすくするときには、寝床部材を傾斜状態にする。
【００１９】
一つの実施形態では、囲い枠は、寝床部材の頭側に位置する頭部枠と、寝床部材の足側に位置する足部枠とを含む。水平状態では、寝床部材の頭側端部と足側端部とが同じ高さに位置する。傾斜状態では、寝床部材の頭側端部が足側端部よりも高い所に位置する。
【００２０】
より具体的な実施形態において、頭部枠は、その上端部に幅方向に延びる第１支持枠を含み、足部枠は、その上端部に幅方向に延びる第２支持枠を含む。角度調節手段は、寝床部材の頭側端部と第１支持枠とを連結し、寝床部材の頭側端部を上下方向に位置変更可能に吊下げて支持する第１連結部材を含む。
【００２１】
上記の具体的な実施形態において、好ましくは、ベビーベッドは、寝床部材の下方に位置し、頭部枠と足部枠とを接続するベース壁を備える。この形態では、第１連結部材の吊下げ長さの調節によって、寝床部材は、その頭側端部および足側端部の両者が前記ベース壁に当接した水平状態と、その頭側端部がベース壁から上方に離れ、その足側端部がベース壁に当接した傾斜状態とに切換え可能である。
【００２２】
他の実施形態では、寝床部材は、その頭側端部が前記頭部枠に上下方向に位置変更可能に支持されている。
【００２３】
さらに他の局面において、この発明に従った揺動式ベッドは、一方側端部と他方側端部とを有する寝床部材と、寝床部材の一方側端部の上方に位置する第１支持枠と、寝床部材の他方側端部の上方に位置する第２支持枠と、寝床部材の一方側端部と第１支持枠とを連結し、寝床部材の一方側端部を浮かせた状態で保持する第１連結部材と、寝床部材の他方側端部と第２支持枠とを連結し、寝床部材の他方側端部を浮かせた状態で保持する第２連結部材と、第１連結部材の一方側に位置し、第１連結部材の一方側への動きを弾性力によって吸収する第１弾性部材と、第２連結部材の他方側に位置し、第２連結部材の他方側への動きを弾性力によって吸収する第２弾性部材とを備える。
【００２４】
上記構成の揺動式ベッドによれば、第１弾性部材および第２弾性部材が振れの向きが反転する最大振幅領域での運動を緩やかに吸収するので、心地良い揺動運動が得られる。
【００２５】
一つの実施形態に係る揺動式ベッドは、第１連結部材の一方側の位置で第１連結部材に対面するように設けられた第１支持壁と、第２連結部材の他方側の位置で第２連結部材に対面するように設けられた第２支持壁とを備える。この場合、第１弾性部材は、第１支持壁と第１連結部材との間に配置され、第２弾性部材は、第２支持壁と第２連結部材との間に配置されている。好ましい実施形態では、第１弾性部材は第１連結部材に保持され、第２弾性部材は第２連結部材に保持されている。変更例として、第１弾性部材を第１支持壁で保持し、第２弾性部材を第２支持壁で保持するようにしてもよい。
【００２６】
好ましくは、第１連結部材は、寝床部材の一方側端部と第１支持枠とを面状に連結し、第２連結部材は、寝床部材の他方側端部と第２支持枠とを面状に連結するものである。このような構成にすれば、寝床部材の揺動の方向が定まり、安定した揺動運動を行わせることができる。第１連結部材および前記第２連結部材は、例えば、布である。好ましくは、静止状態において、第１連結部材および第２連結部材は、鉛直線方向に延在する。このような構成であれば、寝床部材は、水平状態を維持したまま平行に揺動運動を行う。変更例として、第１連結部材および第２連結部材を比較的剛性のある帯状の部材で形成し、第１連結部材と第１支持枠との連結部分、第１連結部材と寝床部材との連結部分、第２連結部材と第２支持枠との連結部分、第２連結部材と寝床部材との連結部分にそれぞれ、蝶番を設けるようにしてもよい。このような変更例においても、安定した揺動運動を行わせることができる。
【００２７】
この発明に従ったベビーベッドは、所定の高さに位置する矩形のベース壁と、ベース壁の頭側端部および足側端部に位置し上下方向に延在する頭部枠および足部枠を含み、ベース壁の周囲を取り囲む囲い枠と、頭部枠の上方端部に取り付けられて足側に向かって張り出している第１支持枠と、足部枠の上方端部に取り付けられて頭側に向かって張り出している第２支持枠と、頭部枠の内側に沿う位置で、第１支持枠に支持されて下方に延びる第１連結部材と、足部枠の内側に沿う位置で、第２支持枠に支持されて下方に延びる第２連結部材と、ベース壁の上方に浮いた位置で、その頭側端部が第１連結部材に保持され、その足側端部が第２連結部材に保持されている寝床部材と、頭部枠と第１連結部材との間に配置され、第１連結部材の頭側への振れの動きを弾性力によって吸収する第１弾性部材と、足部枠と第２連結部材との間に配置され、第２連結部材の足側への振れの動きを弾性力によって吸収する第２弾性部材とを備える。
【００２８】
上記構成のベビーベッドでは、囲い枠の内側で寝床部材を揺動させるものであり、第１弾性部材および第２弾性部材が振れの向きが反転する最大振幅領域での運動を緩やかに吸収するので、心地良い揺動運動が得られる。乳児が成長した段階では、寝床部材、第１連結部材および第２連結部材等を取り外し、通常の固定式ベビーベッドとして使用することが可能である。
【００２９】
好ましい実施形態に係るベビーベッドは、ベース壁上に配置されるマットレスを備え、このマットレスは、寝床部材上に配置されるのに適した大きさの主マットレス部と、第１弾性部材として使用され得る頭側マットレス部と、第２弾性部材として使用され得る足側マットレス部とに分割されている。このような構成であれば、ベッドの使用形態に応じて、マットレスを有効に使用することができる。また、第１弾性部材および第２弾性部材用に、新たに別部材を設ける必要がなくなるので、コスト的に有利である。
【図面の簡単な説明】
【００３０】
【図１】この発明の一実施形態に係る揺動式ベビーベッドを図解的に示す斜視図である。
【図２】この発明の一実施形態に係る揺動式ベビーベッドの断面図である。
【図３】寝床部材が固定されている状態を示す断面図である。
【図４】寝床部材が傾斜している状態を示す断面図である。
【図５】第１連結部材の長さを調節するための手段の一例を示す平面図である。
【図６】図５の線Ａ−Ａに沿って見た断面図である。
【図７】調節プレートの平面図である。
【図８】第１連結部材の吊下げ長さを短くした状態に対応する長さ調節手段の平面図である。
【図９】この発明の他の実施形態に係るベビーベッドの断面図である。
【図１０】図９に示すベビーベッドにおいて、寝床部材を傾斜させた状態の断面図である。
【図１１】この発明のさらに他の実施形態に係る揺動式ベビーベッドを図解的に示す斜視図である。
【図１２】この発明の他の実施形態に係る揺動式ベビーベッドの断面図である。
【図１３】寝床部材が固定されている状態を示す断面図である。
【図１４】寝床部材が傾斜している状態を示す断面図である。
【図１５】揺動運動に関連する要素を取り外して、固定式ベビーベッドの形態にした断面図である。
【図１６】この発明の他の実施形態に係る揺動式ベビーベッドの断面図である。
【図１７】この発明のさらに他の実施形態に係る揺動式ベビーベッドの第１連結部材に関連した構造を示す斜視図である。
【発明を実施するための最良の形態】
【００３１】
図１〜図４は、この発明の一実施形態に係る揺動式ベビーベッドを示している。ベビーベッド１は、所定の高さに位置する矩形のベース壁（床板）２と、このベース壁２の周囲を取り囲む囲い枠とを備える。囲い枠は、ベース壁２上に寝かされる乳児の頭側に位置する頭部枠３と、足側に位置する足部枠４と、側面側に位置する１対の側部枠５とを備える。【００３２】
図１では、囲い枠を想像線で示し、また本発明の要部である揺動構造を図解的に示している。まず、この第１図を参照して、揺動構造の基本的構成を説明する。【００３３】
ベビーベッド１は、必要に応じてベース壁２の上に配置される矩形の寝床部材６と、寝床部材６の頭側端部の上方に位置し、この頭側端部に対してほぼ平行に延びる第１支持枠９と、寝床部材６の足側端部の上方に位置し、この足側端部に対してほぼ平行に延びる第２支持枠１０と、寝床部材６の頭側端部と第１支持枠９とを面状に連結し、寝床部材６の頭側端部を浮かせた状態で保持する第１連結部材７と、寝床部材６の足側端部と第２支持枠１０とを面状に連結し、寝床部材６の足側端部を浮かせた状態で保持する第２連結部材８とを備える。【００３４】
第１連結部材７および第２連結部材８は、好ましくは、布で作られる。また、寝床部材６は、平らな形態を安定して維持できるような構造とされている。【００３５】
図２は、第１支持枠９および第２支持枠１０をより具体的に示している。図示するように、第１支持枠９は、頭部枠３の上端部に着脱可能に取付けられており、頭部枠３の前後に張り出した形状を有している。同様に、第２支持枠１０も、足部枠４の上端部に着脱可能に取付けられており、足部枠４の前後に張り出した形状を有している。【００３６】
ベビーベッド１の幅方向に面状に広がった布製の第１連結部材７の先端は、第１支持枠９の上面を通った後に、第１巻芯１１に巻かれて固定されている。第１巻芯１１は、適当な手段によって、第１支持枠９に固定される。同様に、ベビーベッド１の幅方向に面状に広がった第２連結部材８の先端は、第２支持枠１０の上面を通った後に、第２巻芯１２に巻かれて固定される。第１巻芯１１による巻き長さを調節することにより、第１連結部材７の吊下げ長さを調節できる。同様に、第２巻芯１２による巻き長さを調節することにより、第２連結部材８の吊下げ長さを調節できる。第１および第２連結部材の吊下げ長さを調節する手段としては、他に種々の形態のものが考えられる。【００３７】
好ましくは、第１連結部材７および第２連結部材８は、鉛直線方向に延在するようにされる。このことを実現するために、第１支持枠９と第２支持枠１０との間隔を、寝床部材６の長さとほぼ同じにする。このような寸法関係であれば、図２において想像線で示すように、寝床部材６は、水平状態を維持しながら平行に揺動運動を行う。【００３８】
ベビーベッド１は、第１連結部材７および第２連結部材８の吊下げ長さを調節することによって、図２に示す揺動可能状態と、図３に示す水平固定状態と、図４に示す傾斜状態の３状態を選択的に取ることが可能である。【００３９】
図２に示す状態では、第１連結部材７および第２連結部材８の両者の吊下げ長さを短くして、寝床部材６をベース壁２から上方に離している。従って、寝床部材６を前後に揺動させることが可能である。第１連結部材７および第２連結部材８は、寝床部材６のほぼ全幅に亘って面状に寝床部材６を吊下げているので、寝床部材６の揺動の方向が定まり、安定した揺動運動を実現できる。乳児をあやすときには、この揺動可能状態とする。【００４０】
図３に示す状態では、第１連結部材７および第２連結部材８の両者の吊下げ長さを長くして、寝床部材６の頭側端部および足側端部の両者をベース壁２に当接させている。従って、寝床部材６の揺動は禁止され、水平に固定した状態となる。乳児を静かに寝かせようとするときには、この水平固定状態とする。【００４１】
図４に示す状態では、第１連結部材７の吊下げ長さを短くして、寝床部材６の頭側端部をベース壁２から上方に離す。寝床部材６の足側端部はベース壁２に当接している。この傾斜状態は、例えば、授乳後の乳児に適用される。乳児の頭が僅かに上方に持上げられるので、乳児はげっぷを出しやすくなる。【００４２】
図１〜図４に示した実施形態では、寝床部材６と１対の側部枠５との間に隙間が形成されている。安全性を考慮して、この隙間を覆うような覆い部材を、寝床部材６と１対の側部枠５との間に設けるようにしてもよい。【００４３】
図５〜図７は、第１連結部材７の長さを調節するための手段の他の例を示している。図示していないが、第２連結部材に対しても、同様の長さ調節手段を設ける。なお、これらの図において、前述の実施形態と同一または相当の要素に対して同一の参照番号を付している。【００４４】
図５および図６に示すように、頭部枠３の上端部に、第１支持枠２０が着脱可能に取付けられている。具体的には、頭部枠３の前後に張り出した形態を有する第１支持枠２０は、１対の垂下壁２０ａ，２０ｂを有している。これらの垂下壁２０ａ，２０ｂによって頭部枠３の上端部にある肉厚部３ａを挟む。一方の垂下壁２０ａに取付けられたねじ２６は、頭部枠３の肉厚部３ａに係合し、この係合によって第１支持枠２０が頭部枠３から外れないようにしている。【００４５】
第１連結部材７に対する長さ調節手段は、第１支持枠２０の上面上に位置変更可能に設けられた調節プレート２３を含む。図７は、調節プレート２３を単独で示している。調節プレート２３は、ベビーベッドの幅方向に延びており、その両端部分に、球状のつまみ２５と、係合穴２４とを有している。係合穴２４は、丸穴２４ａと、この丸穴２４ａに連なって前方外側に延びる細溝２４ｂとを有する。第１連結部材７の先端部分は、調節プレート２３に連結される。【００４６】
第１支持枠２０の上面には、外側係合突起２１と内側係合突起２２とが前後に間隔をあけて設けられている。図５に示す状態では、調節プレート２３の係合穴２４の細溝２４ｂが内側係合突起２２に係合している。調節プレート２３を取り外す場合には、係合穴２４の丸穴２４ａと内側係合突起２２とを同じ位置にし、調節プレート２３を脱離可能にする。【００４７】
第１連結部材７の吊下げ長さを短くしようとするときには、つまみ２５を手で持って調節プレート２３を前方の位置に動かし、係合穴２４と外側係合突起２１とを係合させる。【００４８】
以上説明した実施形態では、寝床部材がベビーベッドの囲い枠によって支持されていたが、他の実施形態として、寝床部材を支持するための専用の支え部材を設けるようにしてもよい。すなわち、そのような支え部材は、第１支持枠を下から支える第１支持壁と、第２支持枠を下から支える第２支持壁と、寝床部材の下方に位置し、第１支持壁と第２支持壁とを接続するベース壁とを備える。第１支持壁、第２支持壁、ベース壁は、それぞれ、前述の実施形態における頭部枠、足部枠、ベース壁（床板）と同様な作用を果すものである。【００４９】
また、この発明は、特に乳児用の揺動式ベッドに有利に適用されるが、大人用の揺動式ベッドとしても利用可能である。【００５０】
前述の各実施形態において、寝床部材６は、揺動可能状態と、水平固定状態と、傾斜状態の３状態に選択的に切換え可能に設けられていた。他の実施形態として、寝床部材６が水平固定状態および傾斜状態の２状態に選択的に切換え可能なものであってもよい。このような実施形態では、寝床部材６は揺動運動をすることができない。この場合、前述した第１連結部材に対する長さ調節手段は、寝床部材の傾斜状態を調節するための角度調節手段として機能する。【００５１】
図９および図１０は、寝床部材を水平状態と傾斜状態とに切換え可能に構成したベビーベッドの他の実施形態を示している。ベビーベッドは、寝床部材２と、この寝床部材２の頭側に位置する頭部枠３と、足側に位置する足部枠４とを備える。頭部枠３には、軸３１を介してカム部材３０が回動可能に取付けられている。カム部材３０の外面形状は、軸３１からの距離が不均一となるようにされている。軸３１から外面までの距離が短い領域を短距離部分といい、軸３１から外面までの距離が長い領域を長距離部分という。【００５２】
図９に示す状態では、寝床部材２の頭側端部はカム部材３０の短距離部分に支持され、寝床部材２の足側端部は、足部枠４に固定された突起部４ａに支持されている。寝床部材２は、水平状態となっている。【００５３】
図１０に示す状態では、寝床部材２の頭側端部はカム部材３０の長距離部分に支持され、寝床部材２の足側端部は足部枠４の突起部４ａに支持されている。寝床部材２は、その頭側端部が僅かに高くなった傾斜状態となっている。【００５４】
図１１〜図１５は、この発明のさらに他の実施形態に係る揺動式ベビーベッドを示している。本実施形態においては、前述の実施形態における要素と同じものについては同一の参照番号を付すことによりその説明を省略する。【００５５】
図１５は、揺動運動を行う部材を取り外して、固定式ベビーベッドの形態にした状態を示している。具体的には、寝床部材６、第１連結部材７、第２連結部材８、第１支持枠９および第２支持枠１０を取り外している。乳児が成長した段階では、図１５に示す形態とする。【００５６】
図１５に示すように、固定式ベビーベッドの形態にしたとき、ベース壁２上に弾力性を有するマットレス１５ａ，１５ｂ，１５ｃが配置される。マットレスは、主マットレス部１５ａ、頭側マットレス部１５ｂ、足側マットレス部１５ｃとに分割されている。図１２〜図１４に示すように、揺動式ベビーベッドの形態にしたとき、主マットレス部１５ａは寝床部材６上に配置され、頭側マットレス部１５ｂは第１連結部材７の頭側に向く面に取り付けられ、足側マットレス部１５ｃは第２連結部材８の足側に向く面に取り付けられる。【００５７】
頭側マットレス部１５ｂおよび足側マットレス部１５ｃの第１および第２連結部材７，８への取り付け方法としては、種々のものが考えられるが、例えば第１連結部材７および第２連結部材８に袋状部分を設け、この袋状部分内に頭側マットレス部１５ｂおよび足側マットレス部１５ｃを収容するようにしてもよい。【００５８】
揺動式ベビーベッドの形態のとき、弾力性を有する頭側マットレス部１５ｂは、第１連結部材７の一方側への動きを弾性力によって吸収する第１弾性部材として機能し、弾力性を有する足側マットレス部１５ｃは、第２連結部材８の他方側への動きを弾性力によって吸収する第２弾性部材として機能する。具体的には、頭側マットレス部（第１弾性部材）１５ｂは、頭部枠３と第１連結部材７との間に位置し、第１連結部材７が頭側に向かって動いてきたときにこの第１連結部材７によって押圧されて弾性的に圧縮し、第１連結部材７の頭側への振れの動きを吸収する。同様に、足側マットレス部（第２弾性部材）１５ｃは、足部枠４と第２連結部材８との間に位置し、第２連結部材８が足側に向かって動いてきたときにこの第２連結部材８の足側への振れの動きを吸収する。このように、頭側マットレス部（第１弾性部材）１５ｂおよび足側マットレス部（第２弾性部材）１５ｃが、寝床部材６の振れの向きが反転する最大振幅領域での運動を緩やかに吸収するので、心地良い揺動運動が得られる。【００５９】
また、上記の実施形態では、マットレスが、揺動式ベッドの形態における寝床部材６上に配置されるのに適した大きさの主マットレス部１５ａと、第１弾性部材として使用され得る頭側マットレス部１５ｂと、第２弾性部材として使用され得る足側マットレス部１５ｃとに分割されているので、ベッドの使用形態に応じてマットレスを有効に使用することができる。また、第１弾性部材および第２弾性部材用に、新たに別部材を設ける必要がなくなるので、コスト的に有利である。【００６０】
図１６は、この発明のさらに他の実施形態に係る揺動式ベッドを示している。前述した実施形態では、第１弾性部材１５ｂおよび第２弾性部材１５ｃがそれぞれ第１連結部材７および第２連結部材８に取り付けられていたが、図１６に示す実施形態では、第１弾性部材３１が頭部枠３に取り付けられ、第２弾性部材３２が足部枠４に取り付けられている。【００６１】
図１７は、この発明のさらに他の実施形態に係る揺動式ベッドを示している。前述した実施形態では、第１連結部材７および第２連結部材８が柔軟な布によって形成されていたが、図１７に示す実施形態では、第１連結部材４１を比較的剛性のある帯状の部材で形成し、第１連結部材４１と第１支持枠（図示省略）との連結部分に蝶番４２を設け、第１連結部材４１と寝床部材６との連結部分に蝶番４３を設けている。図１７では第２連結部材の図示を省略しているが、第２連結部材に対しても、第１連結部材４１に関する構造と同様の構造を適用する。このような構造の揺動式ベビーベッドにおいても、寝床部材６の揺動の方向が定まり、安定した揺動運動を行わせることができる。【００６２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６３】
この発明は、特に乳児用のベッドに有利に適用される。
【図１】
2005122839.tif 000002
【図２】
2005122839.tif 000003
【図３】
2005122839.tif 000004
【図４】
2005122839.tif 000005
【図５】
2005122839.tif 000006
【図６】
2005122839.tif 000007
【図７】
2005122839.tif 000008
【図８】
2005122839.tif 000009
【図９】
2005122839.tif 000010
【図１０】
2005122839.tif 000011
【図１１】
2005122839.tif 000012
【図１２】
2005122839.tif 000013
【図１３】
2005122839.tif 000014
【図１４】
2005122839.tif 000015
【図１５】
2005122839.tif 000016
【図１６】
2005122839.tif 000017
【図１７】
2005122839.tif 000018
【国際調査報告】
2005122839.tif 000019
2005122839.tif 000020
2005122839.tif 000021